(57)【要約】【課題】畑に被せたマルチシートに、苗を植えるための苗穴を容易に開けることのできる園芸用移植ごてを提供する。【解決手段】掬い部１の周縁部の全部又は少なくとも掬い部１の先端部１２から掬い部１の長手方向の略中央部にかけての周縁部に刃状に形成した刃部１３を設け、掬い部１の先端部１２を、先端から中央長手方向の折り目に沿って裏面側に突出折曲し、その折曲角度を湾曲部１１の湾曲角度よりも狭角とし、掬い部１の裏面に、周縁部から周縁部に対して略直角方向に延びる、複数の断面Ｖ字形の溝部１５を間隔をあけて設け、刃部１３と溝部１５を交差させることにより刃部１３にＶ字形に切欠いた切欠部１４を形成する。【選択図】図１
2006014646.tif 000002
【特許請求の範囲】
【請求項１】
片手で把持するための柄と、前記柄の端部から前記柄の長手方向に延び、砂利等を掬う金属製の薄板状掬い部を有する、片手で使用可能な園芸用移植ごてにおいて、
前記掬い部は、裏面側に膨出湾曲させられてなる湾曲部と、前記湾局部から前記柄側とは逆側に向けて前記掬い部の幅を徐々に狭くして先端を尖らせてなる先端部とからなり、
前記掬い部の周縁部の全部又は少なくとも前記掬い部の前記先端部から前記掬い部の長手方向の略中央部にかけての周縁部に刃状に形成した刃部を設け、
前記掬い部の前記先端部を、前記先端から中央長手方向の折り目に沿って裏面側に突出折曲し、その折曲角度を前記湾曲部の湾曲角度よりも狭角としたことを特徴とする園芸用移植ごて。
【請求項２】
前記掬い部の裏面に、前記周縁部から前記周縁部に対して略直角方向に延びる、複数の断面Ｖ字形の溝部を間隔をあけて設け、前記刃部と前記溝部を交差させることにより前記刃部にＶ字形に切欠いた切欠部を形成したことを特徴とする請求項１に記載の園芸用移植ごて。
【請求項３】
前記複数の溝部における隣り合う溝部の間隔を、少なくとも前記隣り合う溝部のいずれかの長さより広くしたことを特徴とする請求項２に記載の園芸用移植ごて。
【請求項４】
前記先端部に設けた前記複数の溝部における隣り合う溝部の間隔を、前記湾局部に設けた前記複数の溝部における隣り合う溝部の間隔より狭くしたことを特徴とする請求項２又は請求項３に記載の園芸用移植ごて。
【請求項５】
前記掬い部の幅を、前記掬い部の長手方向の略中央部から前記柄側にかけて徐々に狭くしたことを特徴とする請求項１乃至請求項４のうちいずれか一つに記載の園芸用移植ごて。
【請求項６】
前記掬い部の表面に、前記周縁部から前記周縁部に対して略直角方向に延びる、複数の断面Ｖ字形の溝部を間隔をあけて、かつ裏面に設けた前記複数の溝部と接しないように設け、前記刃部と前記表面に設けた溝部を交差させることにより前記刃部にＶ字形に切欠いた切欠部を形成したことを特徴とする請求項２に記載の園芸用移植ごて。
【発明の詳細な説明】
【技術分野】
【０００１】
本発明は、園芸用移植ごてに関する。より詳しくは、マルチシートを用いて作物の苗を植える場合に、苗を植えるための穴をマルチシートの上から開けることのできる園芸用移植ごてに関する。
【背景技術】
【０００２】
畑で作物を栽培する場合に、土壌の凍結や霜害の防止、雑草の防除、又は肥料の地中分散防止のために、従来からビニール製のマルチシートを畑に被せ、その上から苗を植えて栽培する方法が用いられている。
図１２に示すように、こうしたマルチシート２００には、苗を植えるための苗穴２０１が予め設けられているタイプのものがあるが、実際には栽培する作物によって苗と苗の適切な間隔が異なるため、予め設けられた穴がちょうど良いとは限らず、使用しづらいものとなっている。そこで、穴があいていないタイプのマルチシート２００を畑に被せて、栽培する作物の種類に応じて、苗穴２０１を適切な場所にあけることが行われている。
【０００３】
このような穴をあける方法としては、図１３に示すような、あけたい穴と同じ大きさの断面を有する穴あけパイプ２０２を用意し先端を鋭利にするなどして、マルチシート２００に突き刺すものがある。また、移植ごての種類として、図１４及び図１５に示すような、園芸用移植ごて１００の掬い部１の周縁部に雑草を切るための鋸２０３を設けたものが存在し、このような園芸用移植ごて１００をマルチシート２００の穴あけ用に用いることも考えられる。
【発明の開示】
【発明が解決しようとする課題】
【０００４】
しかしながら、上記の穴あけパイプ２０２を用いた方法では、苗の種類により苗穴２０１の大きさを変えたい場合に、穴の大きさごとにパイプを用意する必要があり煩雑である。
また、せっかく土を掘るための園芸用移植ごてがあるにもかかわらず、これとは別に穴あけパイプ２０２を用意する必要があるため、無駄が多い。
また、雑草を切るための鋸２０３を設けた園芸用移植ごて１００を用いた方法では、ビニール製であるマルチシート２００が鋸２０３にからみつきうまく切断できないという問題が生じる。
【０００５】
そこで、本発明は上記従来の課題を解決するためのものであり、畑に被せたマルチシートに、苗を植えるための苗穴を容易に開けることのできる園芸用移植ごてを提供するものである。
【課題を解決するための手段】
【０００６】
上記の目的を達成するために、請求項１に係る発明の園芸用移植ごては、片手で把持するための柄（２）と、前記柄（２）の端部から前記柄（２）の長手方向に延び、砂利等を掬う金属製の薄板状掬い部（１）を有する、片手で使用可能な園芸用移植ごて（１００）において、前記掬い部（１）は、裏面側に膨出湾曲させられてなる湾曲部（１１）と、前記湾局部（１１）から前記柄（２）側とは逆側に向けて前記掬い部（１）の幅を徐々に狭くして先端を尖らせてなる先端部（１２）とからなり、前記掬い部（１）の周縁部の全部又は少なくとも前記掬い部（１）の前記先端部（１２）から前記掬い部（１）の長手方向の略中央部にかけての周縁部に刃状に形成した刃部（１３）を設け、前記掬い部（１）の前記先端部（１２）を、前記先端から中央長手方向の折り目に沿って裏面側に突出折曲し、その折曲角度を前記湾曲部（１１）の湾曲角度よりも狭角としたことを特徴とする。
【０００７】
また、請求項２に係る発明は、請求項１に記載の発明において、前記掬い部（１）の裏面に、前記周縁部から前記周縁部に対して略直角方向に延びる、複数の断面Ｖ字形の溝部（１５）を間隔をあけて設け、前記刃部（１３）と前記溝部（１５）を交差させることにより前記刃部（１３）にＶ字形に切欠いた切欠部（１４）を形成したことを特徴とする。
【０００８】
また、請求項３に係る発明は、請求項２に記載の発明において、前記複数の溝部（１５）における隣り合う溝部（１５）の間隔を、少なくとも前記隣り合う溝部（１５）のいずれかの長さより広くしたことを特徴とする。
【０００９】
また、請求項４に係る発明は、請求項２又は請求項３に記載の発明において、前記先端部（１２）に設けた前記複数の溝部（１５）における隣り合う溝部（１５）の間隔を、前記湾局部（１１）に設けた前記複数の溝部（１５）における隣り合う溝部（１５）の間隔より狭くしたことを特徴とする。
【００１０】
また、請求項５に係る発明は、請求項１乃至請求項４のうちいずれか一つに記載の発明において、前記掬い部（１）の幅を、前記掬い部（１）の長手方向の略中央部から前記柄（２）側にかけて徐々に狭くしたことを特徴とする。
【００１１】
また、請求項６に係る発明は、請求項２に記載の発明において、前記掬い部（１）の表面に、前記周縁部から前記周縁部に対して略直角方向に延びる、複数の断面Ｖ字形の溝部（１６）を間隔をあけて、かつ裏面に設けた前記複数の溝部（１５）と接しないように設け、前記刃部（１３）と前記表面に設けた溝部（１６）を交差させることにより前記刃部（１３）にＶ字形に切欠いた切欠部（１４）を形成したことを特徴とする。
【００１２】
なお、括弧内の記号は、発明を実施するための最良の形態および図面に記載された対応要素または対応事項を示す。
【発明の効果】
【００１３】
請求項１に記載の発明によれば、園芸用移植ごての掬い部の周縁部の全部又は少なくとも掬い部の先端部から掬い部の長手方向の略中央部にかけての周縁部に、刃状に形成した刃部を設けているので、園芸用移植ごての先端を例えば、マルチシートに突き刺すことにより、園芸用移植ごての先端から周縁部の刃部に沿って、スムースにマルチシートを切断することができる。そして、これを何回か繰り返して円形の苗穴をあけることができる。
また、園芸用移植ごての掬い部の先端部を、先端から中央長手方向の折り目に沿って裏面側に突出折曲し、その折曲角度を掬い部の湾曲部の湾曲角度よりも狭角としているので、園芸用移植ごての先端をマルチシートに突き刺したときに、マルチシートに対して力がかかりやすく、かつ、先端部の折曲に対する強度を向上することができる。
【００１４】
また、請求項２に記載の発明によれば、請求項１に記載の発明の作用効果に加えて、掬い部の裏面に複数の断面Ｖ字形の溝部を間隔をあけて設け、周縁部に設けた刃部と溝部を交差させることにより刃部にＶ字形に切欠いた切欠部を形成するので、園芸用移植ごてをマルチシートに突き刺したときに、切欠部がマルチシートの切断面を斜め方向から切り裂くこととなり、さらにスムースにマルチシートを切断することができる。
さらに、溝部を間隔をあけて設けているので、刃部に形成される切欠部が連続して鋸のようになることはない。したがって、ビニール製のマルチシートが鋸にからみつくようなことがない。
【００１５】
また、請求項３に記載の発明によれば、請求項２に記載の発明の作用効果に加えて、掬い部の裏面に設けた複数の溝部における隣り合う溝部の間隔を、少なくとも隣り合う溝部のいずれかの長さより広くしているので、溝部を設けたことによる掬い部の強度の低下を防ぐことができる。すなわち、溝部を長くすればするほど、その部分の肉厚が薄くなり掬い部の強度は低下するが、溝部の長さに応じて隣り合う溝部の間隔を広げれば、溝部が長いほど溝部の本数を少なくすることができるので、掬い部の強度の低下を防ぐことができる。
【００１６】
また、請求項４に記載の発明によれば、請求項２又は請求項３に記載の発明の作用効果に加えて、先端部に設けた複数の溝部における隣り合う溝部の間隔を、湾局部に設けた複数の溝部における隣り合う溝部の間隔より狭くしているので、マルチシートに園芸用移植ごてを突き刺したときに、マルチシートを急激に大きく切り裂く必要のある先端部では切欠部の数を多くし、既にマルチシートがある程度切断され、それ程大きく切り裂く必要のない湾曲部では切欠部の数を少なくすることができる。従ってさらにスムースにマルチシートを切断することができる。
【００１７】
また、請求項５に記載の発明によれば、請求項１乃至請求項４のうちいずれか一つに記載の発明の作用効果に加えて、掬い部の幅を、掬い部の長手方向の略中央部から柄側にかけて徐々に狭くしているので、マルチシートに苗穴をあけようとして、園芸用移植ごてを深く突き刺しすぎて柄の部分まで突き刺した場合にも、園芸用移植ごての掬い部の柄側の部分がマルチシートに引っ掛かることなく園芸用移植ごてを抜き取ることができる。
【００１８】
また、請求項６に記載の発明によれば、請求項２に記載の発明の作用効果に加えて、掬い部の裏面に加えて表面にも、複数の断面Ｖ字形の溝部を間隔をあけて設け、周縁部に設けた刃部と表面に設けた溝部を交差させることにより刃部にＶ字形に切欠いた切欠部を形成するので、掬い部の周縁部に刃部を設ける際に周縁部の表側と裏側のどちらから研磨しても刃部に切欠部を形成することができる。
また、表面の溝部と裏面の溝部を接しないようにするので、掬い部の強度の低下を防止することができる。
【発明を実施するための最良の形態】
【００１９】
図１乃至図７を参照して、本発明の実施形態１に係る園芸用移植ごてについて説明する。
図１は本発明の実施形態１に係る園芸用移植ごての表面の斜視図であり、図２は裏面の斜視図である。また図３は図１のA−A断面図であり、図４は図１のB−B断面図である。さらに、図５は図１の先端部の拡大図であり、図６は図２の先端部の拡大図である。そして、図７は本発明の実施形態に係る園芸用移植ごての使用状態を示す概観図である。
【００２０】
図１に示すように、園芸用移植ごて１００は、片手で使用可能なものであり、柄２と掬い部１から構成される。柄２は片手で把持できるほどの大きさであり、また掬い部１は柄２から柄２の長手方向に延びた厚さ１ｍｍ程度の金属製の薄板であり、砂利等を掬う用途に用いられる。
次に、掬い部１は、裏面側に膨出湾曲させられてなる湾曲部１１と、湾曲部１１から柄２側とは逆側に向けて掬い部１の幅を徐々に狭くして先端を尖らせてなる先端部１２から構成される。
【００２１】
掬い部１の周縁部には、周縁部を表側から研磨することにより刃状に形成した刃部１３が設けられている。なお、図１においては、刃部１３を掬い部１１の柄２側の後端を除く全部に設けているが、必ずしも全部に設ける必要はなく、少なくとも掬い部１１の先端部１２から掬い部１１の長手方向の略中央部にかけての周縁部に設ければよい。
さらに、掬い部１の先端部１２は先端から中央長手方向の折り目に沿って裏面側に突出折曲されている。ここで、図３に示す先端部１２における折曲角度ａは、図４に示す湾曲部１１における湾曲角度ｂよりも狭くなるように折り曲げられている。
【００２２】
次に、図２に示すように、園芸用移植ごて１００の裏面には、掬い部１の周縁部から周縁部に対して略直角方向に延びる、複数の断面Ｖ字形（くさび形）の溝部１５が間隔をあけて設けられている。ここで断面Ｖ字形（くさび形）とは、溝１５の幅方向の断面がＶ字形（くさび形）であることを意味する。そして、刃部１３と溝部１５を交差させることにより、刃部１３にはV字形に切欠いた切欠部１４が形成されている。
【００２３】
また、溝部１５の深さは特に限定されないが、深くしすぎると切欠部１４が大きくなってマルチシート２００に突き刺したときにマルチシート２００への引っ掛かりが生じること、また掬い部１の強度が低下することから、少なくとも掬い部１の厚さの半分以下とすることが望ましい。
また、溝部１５を掬い部１の周縁部に対して斜め方向に設けると、マルチシート２００に突き刺したときや、引き抜くときに引っ掛かりが生じることから、周縁部に対して略直角方向に設けることが望ましい。
また、図６に示すように、隣り合う溝部の間隔Ｗを、少なくとも隣り合う溝部のいずれかの長さＬよりも広くすることが望ましい。
さらに、先端部１２に設けた隣り合う溝部の間隔Ｗを、湾局部１１に設けた隣り合う溝部の間隔Ｗより狭くすることが望ましい。
【００２４】
以上の構成に係る園芸用移植ごての使用方法は、図７に示すとおりであり、穴があいていないタイプのマルチシート２００を畑に被せて、栽培する作物の種類に応じて苗穴２０１の場所を決定し、園芸用移植ごて１００を何回か突き刺して、所望の大きさの苗穴をあけるものである。
そして、苗穴２０１をあけたあとは、同じ園芸用移植ごて１００を用いて土を掘り、苗を植えればよい。
【００２５】
実施形態１に係る園芸用移植ごてによれば、園芸用移植ごて１００の掬い部１の周縁部に刃状に形成した刃部１３を設けているので、園芸用移植ごて１００の先端をマルチシート２００に突き刺すことにより、園芸用移植ごて１００の先端から周縁部の刃部１３に沿って、スムースにマルチシート２００を切断することができ、何回か繰り返して所望の大きさの円形の苗穴をあけることができる。
また、園芸用移植ごて１００の掬い部１の先端部１２を、先端から中央長手方向の折り目に沿って裏側に突出折曲し、その折曲角度ａを掬い部１の湾曲部１１の湾曲角度ｂよりも狭角としているので、園芸用移植ごて１００の先端をマルチシート２００に突き刺したときに、マルチシート２００に対して力がかかりやすく、かつ先端部１２の折曲に対する強度を向上することができる。特に、園芸用移植ごては、突き刺す、掬う、こねるといった様々な使い方をするため、折曲角度ａを設けることにより、このような様々な使い方に対応できる強度を得ることができる。
【００２６】
また、掬い部１の裏面に複数の断面Ｖ字形（くさび形）の溝部１５を間隔をあけて設け、周縁部に設けた刃部１３と溝部１５を交差させることにより刃部１３にＶ字形に切欠いた切欠部１４を形成するので、園芸用移植ごて１００をマルチシート２００に突き刺したときに、切欠部１４がマルチシート２００の切断面を斜め方向から切り裂くこととなり、さらにスムースにマルチシート２００を切断することができる。
さらに、溝部１５を間隔をあけて設けているので、刃部１３に形成される切欠部１４が連続して鋸のようになることはない。したがって、図１４及び図１５に示す従来例の園芸用移植ごて１００のように、鋸２０３がビニール製のマルチシート２００にからみつくことはない。
ここで、溝部１５の深さを少なくとも掬い部１の厚さの半分以下とすれば、切欠部１４が大きくなりすぎず、マルチシート２００に突き刺したときに引っ掛かりが生じない。さらに、掬い部１の強度も保たれる。
【００２７】
また、掬い部１の裏面に設けた複数の溝部１５における隣り合う溝部１５の間隔Ｗを、少なくとも隣り合う溝部のいずれかの長さＬより広くしているので、溝部１５を設けたことによる掬い部１の強度の低下を防ぐことができる。何故なら、溝部１５の長さＬを長くすればするほど、その部分の掬い部１の肉厚が薄くなり掬い部１の強度は低下するが、溝部１５の長さＬに応じて隣り合う溝部１５の間隔Ｗを広げれば、溝部１５が長いほど溝部１５の本数を少なくすることができるので、掬い部の強度の低下を防ぐことができるためである。
【００２８】
また、先端部１２に設けた複数の溝部１５における隣り合う溝部１５の間隔Ｗを、湾局部１１に設けた複数の溝部１５における隣り合う溝部１５の間隔Ｗより狭くしているので、マルチシート２００に園芸用移植ごて１００を突き刺したときに、マルチシート２００を急激に大きく切り裂く必要のある先端部１２では切欠部１４の数を多くし、既にマルチシート２００がある程度切断され、それ程大きく切り裂く必要のない湾曲部１１では切欠部１４の数を少なくすることができる。従ってさらにスムースにマルチシート２００を切断することができる。
【００２９】
次に、図８及び図９を参照して、本発明の実施形態２に係る園芸用移植ごてについて説明する。
図８は本発明の実施形態２に係る園芸用移植ごての表面の斜視図であり、図９は裏面の斜視図である。
【００３０】
実施形態２に係る園芸用移植ごては、実施形態１に係る園芸用移植ごてと同様の構成であるが、図８及び図９に示すように、掬い部１の柄２側の形状が実施形態１（点線で表した部分）と異なる。
すなわち、実施形態２においては、掬い部１の幅を、掬い部１の長手方向の略中央部から柄２側にかけて徐々に狭くしている。
【００３１】
実施形態２に係る園芸用移植ごてによれば、掬い部１の幅を掬い部１の長手方向の略中央部から柄２側にかけて徐々に狭くしているので、マルチシート２００に苗穴２０１をあけようとして、園芸用移植ごて１００を深く突き刺しすぎて柄２の部分まで突き刺した場合にも、園芸用移植ごて１００の掬い部１の柄２側の部分がマルチシート２００に引っ掛かることなく園芸用移植ごて１００を抜き取ることができる。
【００３２】
次に、図１０及び図１１を参照して、本発明の実施形態３に係る園芸用移植ごてについて説明する。
図１０は本発明の実施形態３に係る園芸用移植ごての表面の先端部の拡大斜視図であり、図１１は裏面の先端部の拡大斜視図である。
【００３３】
実施形態３に係る園芸用移植ごては、実施形態１に係る園芸用移植ごてと同様の構成であるが、掬い部１の表面にも溝部を設けた点が異なる。
図１０に示すように、先端部１２の表面には、周縁部から周縁部に対して略直角方向に延びる、複数の断面Ｖ字形（くさび形）の溝部１６が間隔をあけて設けられている。ここで、溝部１６は、掬い部１の裏面に設けられた溝部１５（図１０の点線で表した部分）と接しないように設けられている。
さらに、図１１に示すように、掬い部１の表側だけでなく裏側からも研磨することにより刃部１３を形成している。そして、刃部１３と表面に設けた溝部１６を交差させることにより刃部１３にＶ字形に切欠いた切欠部１４を形成している。
【００３４】
実施形態３に係る園芸用移植ごてによれば、掬い部１の裏面に加えて表面にも、複数の断面Ｖ字形（くさび形）の溝部１６を間隔をあけて設け、周縁部に設けた刃部１３と表面に設けた溝部１６を交差させることにより刃部１３にＶ字形に切欠いた切欠部１４を形成するので、掬い部１の周縁部に刃部１３を設ける際に周縁部の表側と裏側のどちらから研磨しても刃部１３に切欠部１４を形成することができる。したがって、刃部１３が磨耗してマルチシート２００を切断する際の切れ味が悪くなったときに、表側と裏側のどちらからでも研磨可能となる。
また、表面の溝部１６と裏面の溝部１５を接しないように設けるので、掬い部１の肉厚が部分的に薄くなりすぎて強度が低下するのを防止することができる。
【００３５】
以上、本発明の実施形態に係る園芸用移植ごてについて説明したが、その他にも、本発明の園芸用移植ごてによれば、マルチシートに苗穴を完全にあける方法のほか、苗穴の一部をマルチシートと切り離さないようにしておいて、苗を植えるときには切断された部分をめくって植えることができる。このようにすれば、苗穴部分のマルチシートが切り離されて畑に散らばることがない。
また、マルチシートの切断に用いるほかに、肥料袋のビニールの切断、芝生への穴あけや芝生の切り取り、雑草の多い土壌の掘削などの用途にも有効に使用することができる。
【図面の簡単な説明】
【００３６】
【図１】本発明の実施形態１に係る園芸用移植ごての表面の斜視図である。
【図２】本発明の実施形態１に係る園芸用移植ごての裏面の斜視図である。
【図３】図１のＡ−Ａ断面図である。
【図４】図１のＢ−Ｂ断面図である。
【図５】図１の先端部の拡大斜視図である。
【図６】図２の先端部の拡大斜視図である。
【図７】本発明の実施形態に係る園芸用移植ごての使用状態を示す外観図である。
【図８】本発明の実施形態２に係る園芸用移植ごての表面の斜視図である。
【図９】本発明の実施形態２に係る園芸用移植ごての裏面の斜視図である。
【図１０】本発明の実施形態３に係る園芸用移植ごての表面の先端部の拡大斜視図である。
【図１１】本発明の実施形態３に係る園芸用移植ごての裏面の先端部の拡大斜視図である。
【図１２】従来例に係る、苗穴が予め設けられたマルチシートを示す外観図である。
【図１３】従来例に係る、穴あけパイプを示す斜視図である。
【図１４】従来例に係る、園芸用移植ごての表面の斜視図である。
【図１５】従来例に係る、園芸用移植ごての裏面の斜視図である。
【符号の説明】
【００３７】
１      掬い部
２      柄
１１      湾曲部
１２      先端部
１３      刃部
１４      切欠部
１５      溝部（裏面）
１６      溝部（表面）
１００      園芸用移植ごて
２００      マルチシート
２０１      苗穴
２０２      穴あけパイプ
２０３      鋸
【図１】
2006014646.tif 000003
【図２】
2006014646.tif 000004
【図３】
2006014646.tif 000005
【図４】
2006014646.tif 000006
【図５】
2006014646.tif 000007
【図６】
2006014646.tif 000008
【図７】
2006014646.tif 000009
【図８】
2006014646.tif 000010
【図９】
2006014646.tif 000011
【図１０】
2006014646.tif 000012
【図１１】
2006014646.tif 000013
【図１２】
2006014646.tif 000014
【図１３】
2006014646.tif 000015
【図１４】
2006014646.tif 000016
【図１５】
2006014646.tif 000017